(57)【要約】【課題】開口部を補強して建物の強度を向上させ得るとともに、建物の火災時、下階で生じた炎が上階へ早い時間で到達してしまうのを抑制することができる床開口部の補強装置を提供する。【解決手段】下階とその上の上階を有した建物に配設された床開口部の補強装置であって、下階と上階との間で開口した開口部１の縁部に沿って配設された骨組材から成り、当該開口部１を補強する補強手段２と、該補強手段２に配設され、建物の下階と上階とを遮蔽し得る遮蔽手段としてのシャッター３と、建物の何れかの部位に配設され、火災を検知する火災検知手段４と、該火災検知手段４にて火災が検知されるとシャッター３を動作させて下階と上階とを遮蔽させる制御手段５とを備えたものである。【選択図】図１
2009041237.tif 000002
【特許請求の範囲】
【請求項１】
下階とその上の上階を有した建物に配設された床開口部の補強装置であって、
前記下階と上階との間で開口した開口部の縁部に沿って配設された骨組材から成り、当該開口部を補強する補強手段と、
該補強手段に配設され、前記建物の下階と上階とを遮蔽し得る遮蔽手段と、
建物の何れかの部位に配設され、火災を検知する火災検知手段と、
該火災検知手段にて火災が検知されると前記遮蔽手段を動作させて前記下階と上階とを遮蔽させる制御手段と、
を備えたことを特徴とする床開口部の補強装置。
【請求項２】
前記遮蔽手段は、前記補強手段に取り付けられて電動で駆動可能とされ、前記火災検知手段で火災が検知されると前記開口部を閉塞して前記下階と上階とを遮蔽し得るシャッターから成ることを特徴とする請求項１記載の床開口部の補強装置。
【請求項３】
前記補強手段に沿って前記シャッターを案内する案内レールが形成されたことを特徴とする請求項２記載の床開口部の補強装置。
【請求項４】
前記火災検知手段は、雰囲気温度を検知して火災を検知するセンサから成り、少なくとも建物内の何れかの部位、及び建物の外壁面に設けられたことを特徴とする請求項１〜請求項３の何れか１つに記載の床開口部の補強装置。
【発明の詳細な説明】
【技術分野】
【０００１】
本発明は、下階（例えば１階）とその上の上階（２階）を有した建物に配設された床開口部の補強装置に関するものである。
【背景技術】
【０００２】
２階建て住宅等の建物は、通常、１階の天井と２階の天井との間が貫通した吹き抜け構造、或いは１階から２階へ通じる階段が形成された箇所等のように、１階と２階との間で開口した開口部を有している。即ち、１階（下階）と２階（上階）との間には、開口部が形成されて、人の行き交い（特に階段部）や意匠性の向上（特に吹き抜け構造）等が図られているのである。尚、かかる先行技術は、文献公知発明に係るものでないため、記載すべき先行技術文献情報はない。
【発明の開示】
【発明が解決しようとする課題】
【０００３】
しかしながら、上記従来の建物においては、下階と上階との間で開口した開口部を有するため、その分剛性が低下して、建物自体の強度が低下してしまうという不具合があるとともに、建物の火災時、開口部により下階で生じた炎が上階へ早い時間で到達し、延焼速度を不用意に速めてしまうという問題があった。
【０００４】
本発明は、このような事情に鑑みてなされたもので、開口部を補強して建物の強度を向上させ得るとともに、建物の火災時、下階で生じた炎が上階へ早い時間で到達してしまうのを抑制することができる床開口部の補強装置を提供することにある。
【課題を解決するための手段】
【０００５】
請求項１記載の発明は、下階とその上の上階を有した建物に配設された床開口部の補強装置であって、前記下階と上階との間で開口した開口部の縁部に沿って配設された骨組材から成り、当該開口部を補強する補強手段と、該補強手段に配設され、前記建物の下階と上階とを遮蔽し得る遮蔽手段と、建物の何れかの部位に配設され、火災を検知する火災検知手段と、該火災検知手段にて火災が検知されると前記遮蔽手段を動作させて前記下階と上階とを遮蔽させる制御手段とを備えたことを特徴とする。
【０００６】
請求項２記載の発明は、請求項１記載の床開口部の補強装置において、前記遮蔽手段は、前記補強手段に取り付けられて電動で駆動可能とされ、前記火災検知手段で火災が検知されると前記開口部を閉塞して前記下階と上階とを遮蔽し得るシャッターから成ることを特徴とする。
【０００７】
請求項３記載の発明は、請求項２記載の床開口部の補強装置において、前記補強手段に沿って前記シャッターを案内する案内レールが形成されたことを特徴とする。
【０００８】
請求項４記載の発明は、請求項１〜請求項３の何れか１つに記載の床開口部の補強装置において、前記火災検知手段は、雰囲気温度を検知して火災を検知するセンサから成り、少なくとも建物内の何れかの部位、及び建物の外壁面に設けられたことを特徴とする。
【発明の効果】
【０００９】
請求項１の発明によれば、補強手段が開口部の縁部に沿って配設されたので、当該開口部を補強して建物の強度を向上させ得るとともに、火災の検知により遮蔽手段が建物の下階と上階とを遮蔽し得るので、建物の火災時、下階で生じた炎が上階へ早い時間で到達してしまうのを抑制することができる。
【００１０】
請求項２の発明によれば、遮蔽手段は、補強手段に取り付けられて電動で駆動可能とされ、火災検知手段で火災が検知されると開口部を閉塞して下階と上階とを遮蔽し得るシャッターから成るので、建物の火災時、下階で生じた炎が上階へ早い時間で到達してしまうのをより確実に抑制することができる。
【００１１】
請求項３の発明によれば、補強手段に沿ってシャッターを案内する案内レールが形成されたので、汎用的構成要素にて遮蔽手段を構成させることができ、製造コストを抑えることができるとともに、当該補強手段に対し、遮蔽手段を支持する支持機能と、シャッターを案内する案内機能とを兼ねさせることができる。
【００１２】
請求項４の発明によれば、火災検知手段は、雰囲気温度を検知して火災を検知するセンサから成り、少なくとも建物内の何れかの部位、及び建物の外壁面に設けられたので、確実に且つ安価に火災を検知することができる。
【発明を実施するための最良の形態】
【００１３】
以下、本発明の実施形態について図面を参照しながら具体的に説明する。
第１の実施形態に係る床開口部の補強装置は、下階（例えば１階）とその上の上階（２階）を有した建物に配設されたものであり、図１〜４に示すように、建物の吹き抜け構造を構成すべく１階と２階との間で開口した開口部１に配設された補強手段２及び遮蔽手段としてのシャッター３と、火災検知手段４と、マイコン等から成る制御手段５と、モータＭとから主に構成されている。
【００１４】
補強手段２は、図１に示すように、開口部１の縁部（開口縁部）に沿って配設された骨組材から成り、当該開口部１を補強するためのものであり、例えば硬質の木材や鉄骨材等を用いることができる。具体的には、木材や鉄骨材などの骨組材を、汎用的な接続手段（ボルトなど）を用いて開口部１の縁部に沿って固定させ、当該開口部１における剛性を向上させ、建物自体の強度を向上させている。
【００１５】
シャッター３は、補強手段２に配設され、建物の下階（１階）と上階（２階）とを遮蔽し得るものであり、モータＭにて電動で駆動可能とされ、後述する火災検知手段４で火災が検知されると開口部１を閉塞して下階（１階）と上階（２階）とを遮蔽し得るよう構成されている。このシャッター３は、補強手段２に沿って形成された案内レール６にて案内されつつ動作（開口部１の開閉動作）し得るよう構成されている。
【００１６】
火災検知手段４は、雰囲気温度を検知して火災を検知するセンサから成り、少なくとも建物内の何れかの部位、及び建物の外壁面（好ましくは４方に臨んだそれぞれの壁面の全て）に設けられたものである。このうち建物内の火災検知手段４は、建物の居住空間（好ましくは火を扱う台所等）に設けられ、例えば部屋の天井に設置されているのが好ましい。このように、火災検知手段４は、雰囲気温度を検知して火災を検知するセンサから成り、少なくとも建物内の何れかの部位、及び建物の外壁面に設けられたので、確実に且つ安価に火災を検知することができる。
【００１７】
上記火災検知手段４は、制御手段５と電気的に接続されている。かかる制御手段５は、シャッター３を駆動させるモータＭと電気的に接続されており、火災検知手段４にて火災が検知されるとシャッター３を動作（案内レール６に沿って摺動）させて下階（１階）と上階（２階）とを遮蔽させるためのものである。即ち、モータＭが駆動することにより、シャッター３が案内レール６に沿って摺動し、開口部１を塞ぐよう構成されているのである。
【００１８】
上記実施形態によれば、補強手段２が開口部１の縁部に沿って配設されたので、当該開口部１を補強して建物の強度を向上させ得るとともに、火災検知手段４による火災の検知により遮蔽手段としてのシャッター３が建物の下階（１階）と上階（２階）とを遮蔽し得るので、建物の火災時、下階で生じた炎が上階へ早い時間で到達してしまうのを抑制することができる。特に、本実施形態における遮蔽手段は、補強手段２に取り付けられて電動で駆動可能とされ、火災検知手段４で火災が検知されると開口部１を閉塞して下階（１階）と上階（２階）とを遮蔽し得るシャッター３から成るので、建物の火災時、下階で生じた炎が上階へ早い時間で到達してしまうのをより確実に抑制することができる。
【００１９】
また、補強手段２に沿ってシャッター３を案内する案内レール６が形成されたので、汎用的構成要素にて遮蔽手段を構成させることができ、製造コストを抑えることができるとともに、当該補強手段２に対し、遮蔽手段としてのシャッター３を支持する支持機能と、シャッター３を案内する案内機能とを兼ねさせることができる。尚、シャッター３及び案内レール６の補強手段２に対する支持は、他の形態によるものであってもよい。
【００２０】
補強手段２及び遮蔽手段としてのシャッター３等は、下階（１階）と上階（２階）との間で開口した他の開口部（例えば図５〜７で示すように、建物の直線状に延びた階段が形成された箇所の開口部１’）に配設するよう構成してもよい。この場合であっても、火災検知手段４、制御手段５、及びモータＭを具備させ、火災検知手段４による火災の検知により遮蔽手段としてのシャッター３が建物の下階（１階）と上階（２階）とを遮蔽させることができる。
【００２１】
次に、本発明の第２の実施形態について説明する。
本実施形態に係る床開口部の補強装置は、上記実施形態と同様、下階（例えば１階）とその上の上階（２階）を有した建物に配設されたものであり、図８、９に示すように、建物の階段（螺旋状に延びた階段）が形成された箇所の開口部１”に適用されたものである。尚、上記実施形態と同様の構成要素には、同一の符号を付すこととし、それらの詳細な説明を省略する。
【００２２】
本実施形態に係るシャッター３’を案内する案内レール６’は、補強手段２から下方に延びて形成されており、火災報知手段４による火災の検知により当該シャッター３’が案内レール６’に沿って下方へ摺動し得るよう構成されている。即ち、螺旋状階段が形成された箇所においては、仕切り壁部Ａ（図８参照）により開口部１”を開閉することができないので、シャッター３’を下方へ摺動させることにより、火災時、建物の下階（１階）と上階（２階）とを遮蔽し得るようになっているのである。
【００２３】
以上、本実施形態について説明したが、本発明はこれらに限定されず、例えばシャッター３（３’）に代えて他の形態の遮蔽手段（板状部材のものが移動して開口部を塞ぐ形態のものや観音開きで開閉するもの等）としてもよく、或いは建物における他の開口部に適用したものであってもよい。この開口部は、１階と２階との間で開口した部位に限らず、２階と３階など上下に隣接する上階と下階の間で開口した部位であってもよい。尚、シャッター部材を用いる場合、難燃性部材や断熱部材等から成る防火シャッターが好ましいが、他の部材から成るものであってもよい。
【産業上の利用可能性】
【００２４】
下階と上階との間で開口した開口部の縁部に沿って配設された骨組材から成り、当該開口部を補強する補強手段と、該補強手段に配設され、建物の下階と上階とを遮蔽し得る遮蔽手段と、建物の何れかの部位に配設され、火災を検知する火災検知手段と、該火災検知手段にて火災が検知されると遮蔽手段を動作させて下階と上階とを遮蔽させる制御手段とを備えた床開口部の補強装置であれば、外観形状が異なるもの或いは他の機能が付加されたもの等にも適用することができる。
【図面の簡単な説明】
【００２５】
【図１】本発明の第１の実施形態に係る床開口部の補強装置の遮蔽手段等を示す模式図
【図２】図１におけるＩＩ−ＩＩ線断面図
【図３】図１におけるＩＩＩ−ＩＩＩ線断面図
【図４】同床開口部の補強装置を構成する構成要素の接続状態を示す全体模式図
【図５】他の実施形態における床開口部の補強装置の遮蔽手段等を示す模式図
【図６】図５におけるＶＩ−ＶＩ線断面図
【図７】図５におけるＶＩＩ−ＶＩＩ線断面図
【図８】本発明の第２の実施形態に係る床開口部の補強装置の遮蔽手段等を示す模式図
【図９】図８におけるＩＸ−ＩＸ線断面図
【符号の説明】
【００２６】
１、１’、１”  開口部
２    補強手段
３、３’  シャッター（遮蔽手段）
４    火災検知手段
５    制御手段
６、６’  案内レール
Ｍ    モータ
【図１】
2009041237.tif 000003
【図２】
2009041237.tif 000004
【図３】
2009041237.tif 000005
【図４】
2009041237.tif 000006
【図５】
2009041237.tif 000007
【図６】
2009041237.tif 000008
【図７】
2009041237.tif 000009
【図８】
2009041237.tif 000010
【図９】
2009041237.tif 000011